(57)【要約】      （修正有）【課題】加工能力を向上させ、加工を柔軟化かつ多様化することを可能にする永久磁石による電気制御式分度装置を提供する。【解決手段】電気制御式分度装置１０は、基座１２、作業台２０および少なくとも二つの磁気吸着キット３０を備える。作業台２０は、表面が陥没することによって形成された装着部２４および結合部を有し、結合部は基座１２に配置される。磁気吸着キットは、第一永久磁石、導磁ユニット３４、第二永久磁石および充磁コイルを有する。磁気吸着キット３０は、作業台１０の装着部２４に装着され、導磁ユニット３４によって加工対象をおく作業面を形成する。充磁コイルに通電すれば、導磁ユニットの磁性を変えることによって加工対象を固定するか、作業面から移すことが可能である。【選択図】図１
0003147016.tif 000002
【実用新案登録請求の範囲】
【請求項１】
基座と、
装着部および結合部を有し、前記結合部は前記基座に装着される作業台と、
第一永久磁石、導磁ユニット、第二永久磁石および充磁コイルを有し、前記第一永久磁石は前記導磁ユニットに配置され、前記導磁ユニットは前記第二永久磁石の上に重ねられ、前記充磁コイルは前記第二永久磁石を囲むように配置される少なくとも二つの磁気吸着キットと、
を備え、
前記磁気吸着キットは、前記作業台の前記装着部に装着され、前記導磁ユニットによって加工対象をおく作業面を形成することが可能であり、前記充磁コイルに通電すれば、前記導磁ユニットの磁性を変えることによって前記加工対象を固定するか、前記作業面から移すことが可能であることを特徴とする永久磁石による電気制御式分度装置。
【請求項２】
前記作業台は、頂面を有し、前記装着部は、前記頂面が陥没することによって形成され、前記磁気吸着キットは、前記装着部にマトリックス状に配列されることを特徴とする請求項１に記載の永久磁石による電気制御式分度装置。
【請求項３】
前記第一永久磁石は、複数の桿状磁石を有し、前記桿状磁石は、前記導磁ユニットの外周面に配置されることを特徴とする請求項１に記載の永久磁石による電気制御式分度装置。
【請求項４】
前記作業台は、電気接続器を有し、前記磁気吸着キットの前記充磁コイルは、前記電気接続器に電気的に接続されることを特徴とする請求項１に記載の永久磁石による電気制御式分度装置。
【請求項５】
前記磁気吸着キットは、さらに加工用ブロックを有することを特徴とする請求項１に記載の永久磁石による電気制御式分度装置。
【請求項６】
前記基座は、底座に装着されることを特徴とする請求項１に記載の永久磁石による電気制御式分度装置。
【請求項７】
基座と、
装着部および結合部を有し、前記結合部は前記基座と分離可能なように装着される作業台と、
第一永久磁石、導磁ユニット、第二永久磁石および充磁コイルを有し、前記第一永久磁石は前記導磁ユニットに配置され、前記導磁ユニットは前記第二永久磁石の上に重ねられ、前記充磁コイルは前記第二永久磁石を囲むように配置される少なくとも二つの磁気吸着キットと、
を備え、
前記磁気吸着キットは、前記作業台の前記装着部に装着され、前記導磁ユニットによって加工対象をおく作業面を形成することが可能であり、前記充磁コイルに通電すれば、前記導磁ユニットの磁性を変えることによって前記加工対象を固定するか、前記作業面から移すことが可能であることを特徴とする永久磁石による電気制御式分度装置。
【請求項８】
前記作業台は、頂面を有し、前記装着部は、前記頂面が陥没することによって形成され、前記磁気吸着キットは、前記装着部にマトリックス状に配列されることを特徴とする請求項７に記載の永久磁石による電気制御式分度装置。
【請求項９】
前記第一永久磁石は、複数の桿状磁石を有し、前記桿状磁石は、前記導磁ユニットの外周面に配置されることを特徴とする請求項７に記載の永久磁石による電気制御式分度装置。
【請求項１０】
前記作業台は、電気接続器を有し、前記磁気吸着キットの前記充磁コイルは、前記電気接続器に電気的に接続されることを特徴とする請求項７に記載の永久磁石による電気制御式分度装置。
【請求項１１】
前記磁気吸着キットは、さらに加工用ブロックを有することを特徴とする請求項７に記載の永久磁石による電気制御式分度装置。
【請求項１２】
前記基座は、底座に装着されることを特徴とする請求項７に記載の永久磁石による電気制御式分度装置。
【考案の詳細な説明】
【技術分野】
【０００１】
本考案は分度装置、詳しくは、永久磁石による電気制御式分度装置に関するものである。
【背景技術】
【０００２】
旋盤、フライスまたは研磨などによって機械、切削加工を行う場合、加工対象を作業台に固定して加工をスムーズに行うため、治具を使用することが必要である。よく見掛けられる治具は、万力（ＶＩＳＥ）またはクランプキット（Ｃｌａｍｐｉｎｇ  Ｋｉｔ）などを含む。機械加工を行う前、治具および加工対象の設置位置を決め、固定を行えば、治具によって加工対象を作業台に固定することが可能である。
【０００３】
機械力によって固定作業を行う治具のほかに、磁石による磁性作業台を使用することも可能である。磁性作業台は、永久磁石および旋転可能な制御機構を備える。制御機構を旋転させれば永久磁石の磁性分布の状態を変え、磁力によって加工対象を作業台に固定するか、作業台から移すことが可能である。
【０００４】
特許文献１は、別の機械加工に用いる磁性作業台を提示している。技術内容は、作業台の内部にコイルが被さった数多くの永久磁石を配置し、充磁／脱磁回路によって磁石の磁場を制御するため、治具の使用を必要とせず磁力によって加工対象を作業台に固定することが可能である。
【０００５】
前記磁性作業台によって加工対象に多面加工を行う場合、加工面ごとに加工が完了し、前記磁性作業台を脱磁させた後、加工対象を回転させるか所定の位置に移動させ、続いて加工対象を固定するため再び作業台に充磁を行うという工程を終わらせなければ、別の加工面に加工を続けることができない。前記磁性作業台は単なる加工対象を固定する機能を提供するのみであり、加工を柔軟的かつ多様的に補助することができないため、使用に不便である。かつ前記磁性作業台は磁力が比較的小さいため、重さが比較的大きい機械加工を行うことができない。
【０００６】
【特許文献１】米国特許第５，９９１，１４７号明細書
【考案の開示】
【考案が解決しようとする課題】
【０００７】
本考案の主な目的は、加工能力を向上させ、加工を柔軟化かつ多様化することを可能にする永久磁石による電気制御式分度装置を提供することである。
本考案のもう一つの目的は、治具に頼る必要なく加工対象を固定し、加工工程を簡単化し、加工時間を短縮することを可能にする永久磁石による電気制御式分度装置を提供することである。
【課題を解決するための手段】
【０００８】
上述の目的を達成するために、本考案による永久磁石による電気制御式分度装置は、基座、作業台および少なくとも二つの磁気吸着キットを備える。作業台は、表面が陥没することによって形成された装着部および結合部を有し、結合部は基座に配置される。磁気吸着キットは、第一永久磁石、導磁ユニット、第二永久磁石および充磁コイルを有する。第一永久磁石は導磁ユニットに配置され、導磁ユニットは第二永久磁石の上に重ねられ、充磁コイルは第二永久磁石を囲むように配置される。磁気吸着キットは、作業台の装着部に装着され、導磁ユニットによって加工対象をおく作業面を形成することが可能である。充磁コイルに通電すれば、導磁ユニットの磁性を変えることによって加工対象を固定するか、作業面から移すことが可能であるため、本考案は、加工能力を向上させ、加工を柔軟化かつ多様化する、治具を必要とせず加工対象を固定する、加工工程を簡単化し、加工時間を短縮するなどの目的を達成することが可能となる。
【考案を実施するための最良の形態】
【０００９】
以下、図面に基づいて本考案の実施の形態を詳細に説明する。
【００１０】
（第１実施形態）
図１から図３に示すように、本考案の第１実施形態による永久磁石による電気制御式分度装置１０は、基座１２、作業台２０および数多くの磁気吸着キット３０を備える。
【００１１】
作業台２０は、頂面２２と、頂面２２が陥没することによって形成された二つの装着部２４とを有する。装着部２４は底面にマトリックス状に配列された数多くの固定部２５を有し、固定部２５は、ねじ孔または固定ピンとなることが可能である。第１実施形態において、固定部２５は、ねじ孔である。作業台２０は底部に結合部２６を有し、結合部２６は回転軸２７によって基座１２に装着されるため、作業台２０は基座１２に対し３６０度旋転することが可能である。かつ作業台２０は、一側面に電気接続器２９を有する。
【００１２】
図３から図５に示すように、磁気吸着キット３０は、第一永久磁石３２、導磁ユニット３４、第二永久磁石３５および充磁コイル（ｍａｇｎｅｔｉｚｉｎｇ  ｃｏｉｌ）３６を有する。第一永久磁石３２は、四つの桿状磁石６０、６１、６２、６３から構成される。第１実施形態において、第一永久磁石３２はＮｄ−Ｆｅ−Ｂ材質から構成され、第二永久磁石３５はＡｌ−Ｎｉ−Ｃｏ材質から構成され、導磁ユニット３４は鉄から構成される。
【００１３】
第一永久磁石３２の桿状磁石６０、６１、６２、６３は、導磁ユニット３４の四周面に配置され、かつ磁場を適切に分布させるため、桿状磁石６０の位置は別の桿状磁石６１、６２、６３の位置より高いため、導磁ユニット３４は第一永久磁石３２の磁力によって磁性を有することが可能である。導磁ユニット３４は、第二永久磁石３５の上方に重ねられる。充磁コイル３６は、第二永久磁石３５を囲むように配置され、作業台２０の電気接続器２９に電気的に接続される。第１実施形態において、充磁コイル３６を互いに直列に繋げて電気接続器２９に電気的に接続するか、或いは数が一定した充磁コイル３６を直列に繋げて群をなし、そののち群を互いに並列に繋げて電気接続器２９に電気的に接続することも可能である。
【００１４】
磁気吸着キット３０は、作業台２０の装着部２４に装着される。かつ導磁ユニット３４および第二永久磁石３５は、固定ユニット３８、例えばボルト、によって作業台２０の固定部２５に一緒に装着され、磁気吸収ユニット３０は装着部２４内にマトリックス状に配列されるため、導磁ユニット３４は、加工対象をおく作業面４０を形成することが可能である。
【００１５】
充磁コイル３６に時計回りまたは反時計回りの電流が流れるとき、第二永久磁石３５は感応を受け、異なるＮ極またはＳ極を呈し、導磁ユニット３４の磁性を変えることによって隣り合う二つの導磁ユニット３４の間に磁場を生成させるか、磁場を無くすことが可能である。図６に示すように、加工対象を容易に加工するため、磁気吸着キット３０の導磁ユニット３４の上に加工用ブロック４２を増設することが可能である。
【００１６】
図７に示すように、本実施形態による横型加工機が加工対象５０を固定し、機械切削を行う場合、まず加工対象５０を作業面４０に置き、そののち制御器を電気接続器に接続し、制御器によって時計回りの電流を充磁コイル３６に導入する。充磁コイル３６に通電した後、導磁ユニット３４の間は作業面４０に磁場を生成させることによって加工対象５０を作業面４０に強力吸着させるため、制御器を作業台２０から取り外すことが可能である。
【００１７】
図８に示すように、切削加工を行う場合、クランプキット２８によって基座１２に対し作業台２０を旋転させれば、加工機は加工対象５０の外周に沿って加工対象５０の外周を切削加工することが可能である。加工が完了した後、再び制御器を電気接続器２９に接続し、充磁コイル３６に反時計周りの電流を導入し、導磁ユニット３４の磁性を変え、作業面４０に磁場を生成させなければ、磁場は加工対象５０を作業面４０に吸着させなくなるため、加工済みの加工対象５０を作業台２０から移すことが可能である。
【００１８】
（第２実施形態）
図９に示すように、本考案の第２実施形態による永久磁石による電気制御式分度装置７０の構造は、第１実施形態とほぼ同じで、基座７１、作業台７２および数多くの磁気吸着キット７３を備える。その特徴は次の通りである。基座７１は鳩尾状溝７４を有し、作業台７２は鳩尾状溝７４に嵌合される結合部７５を有し、結合部７５によって基座７１と分離可能なように装着される。図１０に示すように、第２実施形態が横型加工機の作業交換台７６に適用される場合、数多くの永久磁石による電気制御式分度装置７０は、横型加工機の回転レール７７を移動するように装着され、永久磁石による電気制御式分度装置７０の作業台７２は、刃物７８の位置と向かい合う基座７１と分離か結合するように装着されるため、刃物７８は異なる作業台７２に固定される加工対象に多様な加工を行い、生産稼働率および加工効率を向上させることが可能である。
【００１９】
（第３実施形態）
図１１に示すのは、本考案の第３実施形態による永久磁石による電気制御式分度装置８０である。その特徴は次の通りである。基座８１は旋転可能なようにデジタル制御式分度器の底座８２に装着され、磁気吸着キット８３は円形作業台８４に環状に配列されるか、或いは図１２に示すように、多角形作業台８５に配置される。前記構造により、本考案は五軸加工機に適用し、本考案の加工能力をいっそう向上させることが可能である。
【００２０】
（考案の効果）
上記実施形態の説明をまとめてみると、本考案が達成した効果は下記の通りである。
１、治具を必要とせず、直接加工対象を作業台に固定することにより、加工工程を簡単化し、加工時間を短縮することが可能である。
２、作業台が基座に対し旋転する際、加工対象の上の加工可能な区域に死角は生じしないため、加工能力を向上させ、加工を柔軟化かつ多様化することが可能である。
３、従来の電磁式磁気吸着キットと比べて、本考案における磁気吸着キットは使用後、温度上昇が発生しないため、部品の使用寿命が比較的長くなる。
４、磁気吸着キットは、永久磁石と導磁ユニットの交互作用を利用するため、充磁後の磁気吸着力が比較的強くなるだけでなく、断電が起こっても磁性を維持することが可能である。
【図面の簡単な説明】
【００２１】
【図１】本考案の第１実施形態による永久磁石による電気制御式分度装置を示す斜視図である。
【図２】本考案の第１実施形態による永久磁石による電気制御式分度装置を示す平面図である。
【図３】本考案の第１実施形態による永久磁石による電気制御式分度装置を示す断面図である。
【図４】本考案の第１実施形態による永久磁石による電気制御式分度装置において、磁気吸着キットの構造を示す一部分の断面図である。
【図５】本考案の第１実施形態による永久磁石による電気制御式分度装置において、磁気吸着キットの構造を示す一部分の分解斜視図である。
【図６】本考案の第１実施形態による永久磁石による電気制御式分度装置において、作業面に数多くの加工用ブロックを増設する状態を示す模式図である。
【図７】本考案の第１実施形態による永久磁石による電気制御式分度装置を用いて、加工対象を固定し、機械切削を行う状態を示す模式図である。
【図８】本考案の第１実施形態による永久磁石による電気制御式分度装置を用いて、切削加工を行う場合、クランプキットによって基座に対し作業台を旋転させた状態を示す模式図である。
【図９】本考案の第２実施形態による永久磁石による電気制御式分度装置を示す正面図である。
【図１０】本考案の第２実施形態による永久磁石による電気制御式分度装置が、横型加工機の作業交換台に適用された状態を示す模式図である。
【図１１】本考案の第３実施形態による永久磁石による電気制御式分度装置が、デジタル制御式五軸加工機の分度装置に適応された状態を示す模式図である。
【図１２】本考案の第３実施形態永久磁石による電気制御式分度装置において、作業台が多角形を呈する状態を示す模式図である。
【符号の説明】
【００２２】
１０：永久磁石による電気制御式分度装置、１２：基座、２０：作業台、２２：頂面、２４：装着部、２５：固定部、２６：結合部、２７：回転軸、２８：クランプキット、２９：電気接続器、３０：磁気吸着キット、３２：第一永久磁石、３４：導磁ユニット、３５：第二永久磁石、３６：充磁コイル、３８：固定ユニット、４０：作業面、４２：加工用ブロック、５０：加工対象、６０：桿状磁石、６１：桿状磁石、６２：桿状磁石、６３：桿状磁石、７０：永久磁石による電気制御式分度装置、７１：基座、７２：作業台、７３：磁気吸着キット、７４：鳩尾状溝、７５：結合部、７６：作業交換台、７７：回転レール、７８：刃物、８０：永久磁石による電気制御式分度装置、８１：基座、８２：底座、８３：磁気吸着キット、８４：作業台、８５：作業台
【図１】
0003147016.tif 000003
【図２】
0003147016.tif 000004
【図３】
0003147016.tif 000005
【図４】
0003147016.tif 000006
【図５】
0003147016.tif 000007
【図６】
0003147016.tif 000008
【図７】
0003147016.tif 000009
【図８】
0003147016.tif 000010
【図９】
0003147016.tif 000011
【図１０】
0003147016.tif 000012
【図１１】
0003147016.tif 000013
【図１２】
0003147016.tif 000014